(57)【特許請求の範囲】
【請求項１】
平面横長長方形状に形成している合成樹脂製の収納箱本体内を仕切壁によって点棒が収納可能な長さ間隔毎に仕切ることにより４つの点棒収納室に形成していると共に各点棒収納室の内底面を前後方向に向かって凹円弧状に湾曲した湾曲面に形成し、その彎曲面に沿って一対の電極板を取り付けている一方、抵抗体を内蔵し且つ表面に該抵抗体に接続した一対の端子を取り付けてなる点棒を上記各収納室内に収納して該点棒の上記端子を上記一対の電極板上に接触させるように構成した麻雀の点棒収納箱において、上記一対の電極板の下面に対応させて、収納箱本体の外底面に磁石を装着していることを特徴とする麻雀の点棒収納箱。
【発明の詳細な説明】
【０００１】
【発明の属する技術分野】
本発明は麻雀の持ち点数を電気的に検出する点棒収納箱の改良に関するものである。
【０００２】
【従来の技術】
麻雀卓にはその四方に点数棒収納箱が設けられてあり、競技者はゲームが終了する毎に収納箱内に収納している点数棒をやりとりすることによって持ち点を増減させ、その持ち点の多少によって勝負を競っている。しかしながらゲームが進行すると、本人の持ち点は収納箱内の点数棒を数えることによって知ることができるが、他人の持ち点までも正確に記憶しておくことが困難となり、各自がどの位の点差が生じているのか正確に確認したい場合が生じる。
【０００３】
このため、本願出願人等は特開平９ー２５３３３１号公報に記載したように、麻雀の持ち点を電気的に検出する点棒収納箱を開発した。この点棒収納箱は、内底面に一対の電極板を取り付けている複数の収納室を有し、各収納室内に、点数の大小に応じた大きさの抵抗体を内蔵し且つ両端部表面に該抵抗体に接続した端子を取り付けてなる点棒を収納することにより、点棒の両端子を電極板に接触させるように構成している。
【０００４】
そして、点棒収納箱の各収納室に取り付けている上記一対の電極板は、収納室内に収納された複数本の点棒に内蔵されている抵抗体の抵抗値の総和を持ち点数に電気的に演算変換する回路を備えたコンピュータからなる中央演算処理装置に接続されてあり、この中央演算処理装置によって演算記憶された各自の持ち点の数値を各自の表示部に表示させるようにしている。
【０００５】
【発明が解決しようとする課題】
しかしながら、点棒を収納箱の各収納室内に収納する場合、全ての点棒を収納室の長さ方向に正確に向けた状態で収納することはなく、収納室にランダムに投入するものであるから、点棒同士が交差した状態で重なりあったりして収納室側の一対の電極板と点棒の両端子、或いは、点棒の端子同士の接触不良が発生し、収納箱内の全ての点棒の点数の総和に応じた数値を正確に検出することができなくなり、競技者の持点表示に誤りが生じるという問題点があった。
【０００６】
本発明はこのような問題点に鑑みてなされたもので、その目的とするところは、収納箱内の全ての点棒に対応した点数を正確且つ確実に検出し得るようにした麻雀の点棒収納箱を提供するにある。
【０００７】
【課題を解決するための手段】
上記目的を達成するために、本発明の請求項１に係る麻雀の点棒収納箱は、平面横長長方形状に形成している合成樹脂製の収納箱本体内を仕切壁によって点棒が収納可能な長さ間隔毎に仕切ることにより４つの点棒収納室に形成していると共に各点棒収納室の内底面を前後方向に向かって凹円弧状に湾曲した湾曲面に形成し、その彎曲面に沿って一対の電極板を取り付けている一方、抵抗体を内蔵し且つ表面に該抵抗体に接続した一対の端子を取り付けてなる点棒を上記各収納室内に収納して該点棒の上記端子を上記一対の電極板上に接触させるように構成した麻雀の点棒収納箱において、上記一対の電極板の下面に対応させて、収納箱本体の外底面に磁石を装着した構造としている。
【０００８】
【作用】
点棒収納箱としては、点棒を収納する各収納室の内底面を前後方向に向かって凹円弧状に湾曲した湾曲面に形成し、その彎曲面に沿って一対の電極板を取り付けた構造としているので、各収納室に点棒を収納室の長さ方向に対して傾斜した状態で投入しても、点棒の両端部が凹円弧状湾曲面によって収納室の長さ方向に自動的に向けられるが、点棒が重なり合った場合、上側の点棒が下側の点棒に対して交差状態となって、端子同士の接触不良が生じる場合がある。
【０００９】
しかしながら、上記一対の電極板の下面に対応させて、収納箱本体の外底面に磁石を装着しているので、電極板に磁石による磁力が集中的に発生して、点棒収納室内に点棒同士が互いに交差状態で投入されても、点棒に設けている一対の端子が磁力によって電極板に吸着され、全ての点棒が収納箱の長さ方向、即ち、電極板に直交する方向に姿勢制御されて強制的に引き揃えられると共に互いの接触圧力が上昇し、電極板と端子及び端子同士が確実に接触して精度のよい持ち点数の検出、表示が可能となる。その上、麻雀卓が不測に振動しても磁石による吸着力によって点棒の端子を確実に電極板上に位置させた状態を維持しておくことができる。
【００１０】
【発明の実施の形態】
次に、本発明の実施例を図面について説明すると、１は平面横長長方形状に形成している合成樹脂製の収納箱本体で、底部1aの四方周縁部に上方に向かって前後壁部1b、1cと両側壁部1d、1dとを一体に形成してなり、さらに、両側壁部1d、1d間における収納箱本体１内を該側壁部1dと同一形状の仕切壁1eによって後述する点棒６が収納可能な長さ間隔毎に仕切ることにより、図２に示すように、万点棒、五千点棒、千点棒、百点棒の４つの点棒収納室２に形成している。なお、各収納室２の左右方向の長さは点棒６の長さよりも僅かに長く形成されている。また、収納箱本体１の上記前壁部1bの高さは後壁部1cよりも低く形成されてあり、従って、各収納室２の上端は斜め前方に向かって開口した形状を有している。
【００１１】
３は上記各収納室２内に嵌め込んだ合成樹脂製の敷設板で、収納箱本体１の底部1a上に沿って前後方向に凹円弧状に湾曲した湾曲底部3aと、この湾曲底部3aの前後から連続的に上方に突設した前後壁板部3b、3cとを一体に設けてなり、前側壁板部3bの高さを後側壁板部3cよりも低く形成してこれらの前後壁板部3b、3cを収納室２の前後壁部1b、1cの内面に接合させている。そして、この敷設板３上に点棒６を収納するように構成している。なお、湾曲底部3aに連なる後側壁板部3cの下半部と前側壁板部3cとは、緩やかな凹弧状の湾曲面に形成されている。
【００１２】
さらに、各敷設板３の両側端部の上面には、一定幅を有する左右一対の帯状電極板４を取り付けている。この帯状電極板４は図３に示すように、その長さ方向の中央部から前後両端部に亘って敷設板３の湾曲底部3aから前後壁板部3b、3c上に接して凹円弧状に湾曲していると共に一端部に配線接続部4aを形成している。
【００１３】
点棒６は合成樹脂製であって図５に示すように、細長の中空偏平筒形状に形成されてあり、その中空内部には抵抗体７が内蔵されていると共に両端部にはその両端開口部を閉止したキャップ形状の端子８、８を被着状態に取り付けてあり、抵抗体７のリード線９を両端子８、８に接続している。なお、点棒６の表面中央には点数表示印10が刻設されていると共に、点棒６に内蔵している抵抗体７は、万点棒、五千点棒、千点棒、百点棒に応じた大きさの抵抗値を有しており、それぞれの点数を表示した点棒６を収納箱本体１の対応する収納室３に収納するものである。
【００１４】
なお、各収納室２内に嵌着している上記敷設板３上に取り付けられた左右一対の電極板は、その一端に接続した配線を電圧変換回路（図示せず）を介してＡーＤ変換回路（図示せず）に接続されていると共にこれらのＡーＤ変換回路はマイクロコンピュータからなる中央演算処理装置（図示せず）に接続している。
【００１５】
また、全ての点棒収納箱本体１の収納室２の内底面両側部に取付けている上記一対の電極板４、４の下面に対応させて、収納箱本体１の外底面に磁石20を装着した構造としている。一方、点棒６においては、両端子８、８を取り付けている両端部内には図４に示すように、鉄片21を固定している。なお、この鉄片21は必ずしも設けておく必要はない。
【００１６】
このように構成したので、収納室２に敷設した敷設板３の内底面両側部に取付けている上記一対の電極板４、４には、磁石20による磁力が常時作用しており、従って、各収納箱本体１の収納室２内に点棒６を投入すると、各収納室２の点棒収納部を形成する敷設板３は前後方向に向かって凹円弧状に湾曲しているので、点棒６がその湾曲面によって収納室２の長さ方向に自動的に向けられ、且つ、点棒６の両端部に取り付けている端子８、８が電極板４、４側に吸引されて電極板４、４に正確に接触すると共に重なりあった点棒６同士もその端子８が磁力によって吸引されて電極板４上で互いに接触し合うことになる。
【００１７】
そして、全ての点棒６が、電極板４上にその端子８を接触させた状態で収納室２の長さ方向、即ち、電極板４に直交する方向に向けられる。この際、点棒６の両端部に鉄片21を内蔵しているので、該鉄片21が磁石20によって吸引されて点棒６の両端部表面の端子８、８を一層大きな接触圧でもって電極板２上に或いは下部の点棒６の端子８に圧接させることができ、接触不良の発生が確実に防止し得ると共に、全ての点棒６内に内蔵している抵抗体７の合成抵抗値が電圧変換回路によって電圧値に変換され、この電圧値をＡーＤ変換回路によって点棒６の点数の合計点に応じたデジタル信号に変換して中央演算処理装置に入力されて正確な持ち点表示が可能となるものである。
【００１８】
【発明の効果】
以上のように本発明の請求項１に係る発明によれば、平面横長長方形状に形成している合成樹脂製の収納箱本体内を仕切壁によって点棒が収納可能な長さ間隔毎に仕切ることにより４つの点棒収納室に形成していると共に各点棒収納室の内底面を前後方向に向かって凹円弧状に湾曲した湾曲面に形成し、その彎曲面に沿って一対の電極板を取り付けている一方、抵抗体を内蔵し且つ表面に該抵抗体に接続した一対の端子を取り付けてなる点棒を上記各収納室内に収納して該点棒の上記端子を上記一対の電極板上に接触させるように構成した麻雀の点棒収納箱において、上記一対の電極板の下面に対応させて、収納箱本体の外底面に磁石を装着した構造としているので、収納箱内に点棒を投入した場合、電極板には磁石による磁力が集中的に発生しているから、点棒同士を互いに交差状態で投入しても、点棒に設けている一対の端子を磁力によって電極板に確実に吸着させることができ、従って、全ての点棒を収納箱の長さ方向、即ち、電極板に直交する方向に強制的に姿勢制御することができると共に互いの接触圧力が上昇して電極板と端子及び端子同士が確実に接触して精度のよい持ち点数の検出、表示が可能となるものであり、その上、麻雀卓が不測に振動しても磁石による吸着力によって点棒の端子を確実に電極板上に位置させた状態を維持して接触不良を防止することができる。
【図面の簡単な説明】
【図１】  一部を分解した簡略斜視図。
【図２】  簡略平面図。
【図３】  拡大縦断側面図。
【図４】  一部の拡大平面図。
【図５】  点数棒の縦断正面図。
【符号の説明】
１  点棒収納箱本体
２  点棒収納室
３  敷設板
４  電極板
６  点棒
７  抵抗体
８  端子
20  磁石
【図１】
0004330680.tif 000002
【図２】
0004330680.tif 000003
【図３】
0004330680.tif 000004
【図４】
0004330680.tif 000005
【図５】
0004330680.tif 000006